(57)【要約】【課題】板厚が異なる複数種のドアガラスに取り付けできるドアガラス用ホルダとしながら、板厚によらずドアガラスをその板厚方向に容易に位置決めできるようにする。【解決手段】ドアガラス用ホルダ１は、底部１０から上方へ延び、車室内外方向に撓み変形するとともに、ドアガラス１００を車室内外方向に挟持する外側板部２０及び内側板部３０を備えている。底部１０には、ドアガラス１００が当接して支持される外側支持面１０ａ及び内側支持面１０ｂが設けられている。外側支持面１０ａ及び内側支持面１０ｂは、底部１０の車室内外方向中心に近づくほど下に位置するように形成されている。【選択図】図５
2018021369.tif 000002
【特許請求の範囲】
【請求項１】
自動車に昇降可能に設けられるドアガラスの下側に取り付けられ、該ドアガラスの下側を昇降機構に連結する自動車ドアガラス用ホルダにおいて、
上記ドアガラスの下端に配置される底部と、
上記底部から上方へ延び、上記ドアガラスの車室外側及び内側にそれぞれ配置されて車室内外方向に撓み変形するとともに、該ドアガラスを車室内外方向に挟持する外側板部及び内側板部とを備え、
上記底部には、上記ドアガラスの下端における車室外側に形成された外側角部が当接して支持される外側支持面と、上記ドアガラスの下端における車室内側に形成された内側角部が当接して支持される内側支持面とが設けられ、
上記外側支持面及び上記内側支持面は、上記底部の車室内外方向中心に近づくほど下に位置するように形成されていることを特徴とする自動車ドアガラス用ホルダ。
【請求項２】
請求項１に記載の自動車ドアガラス用ホルダにおいて、
上記底部における上記外側支持面と上記内側支持面との間の部分は、上記ドアガラスの下端から下方へ離れるように形成されていることを特徴とする自動車ドアガラス用ホルダ。
【請求項３】
請求項１または２に記載の自動車ドアガラス用ホルダにおいて、
上記外側板部の下側は、上記ドアガラスの車室外面から車室外側へ離れるように形成される一方、上記外側板部の上側は、上記ドアガラスの車室外面に当接するように形成されていることを特徴とする自動車ドアガラス用ホルダ。
【請求項４】
請求項１から３のいずれか１つに記載の自動車ドアガラス用ホルダにおいて、
上記内側板部の下側は、上記ドアガラスの車室内面から車室内側へ離れるように形成される一方、上記内側板部の上側は、上記ドアガラスの車室外面に当接するように形成されていることを特徴とする自動車ドアガラス用ホルダ。
【請求項５】
請求項１から４のいずれか１つに記載の自動車ドアガラス用ホルダにおいて、
上記外側板部及び上記内側板部の上側には、それぞれ、車室外側及び内側へ屈曲する外側屈曲部及び内側屈曲部が形成され、
上記外側板部における上記外側屈曲部よりも上側は、上記ドアガラスの車室外面から離れるように形成され、
上記内側板部における上記内側屈曲部よりも上側は、上記ドアガラスの車室内面から離れるように形成されていることを特徴とする自動車ドアガラス用ホルダ。
【請求項６】
請求項５に記載の自動車ドアガラス用ホルダにおいて、
上記外側板部及び上記内側板部の間隔は、上記外側屈曲部及び上記内側屈曲部の形成部分が最も狭くなるように設定されていることを特徴とする自動車ドアガラス用ホルダ。
【発明の詳細な説明】
【技術分野】
【０００１】
本発明は、自動車のドアガラスに取り付けられる自動車ドアガラス用ホルダに関し、特にドアガラスの板厚変化に対応できる構造の技術分野に属する。
【背景技術】
【０００２】
近年、自動車ユーザーによる車両の使用ニーズの多様化に伴い、自動車に対する商品性の要求がますます広くなりつつある。従って、自動車のガラスの仕様も増えており、例えば、紫外線をカットする紫外線カットガラス、赤外線をカットする赤外線カットガラス、遮音性を向上した遮音ガラス、軽量化を目的とした薄板ガラス等があり、これらガラスの板厚は異なっているのが一般的である。
【０００３】
自動車のドアに配設されるドアガラスは昇降可能になっている。すなわち、ドアの内部には、昇降機構であるウインドレギュレーターが内蔵されており、このウインドレギュレーターのキャリアプレートにドアガラスの下部を連結してウインドレギュレーターの作動によりドアガラスを昇降させるように構成されている。ドアガラスの下部をキャリアプレートに連結する場合にはドアガラス用ホルダが用いられる。
【０００４】
従来のドアガラス用ホルダは、ドアガラスの下部を車室外側及び内側から挟むように配置される車室外側板部及び車室内側板部とを備えている。車室外側板部及び車室内側板部の間隔は、ドアガラスの板厚に対応するように設定されているので、ドアガラスの板厚が異なる場合には、車室外側板部及び車室内側板部の間隔が異なる複数種のドアガラス用ホルダを用意しなければならず、供給部品管理が煩雑になるとともに、形状の相違はわずかなことから誤組付の誘因となっていた。誤組付についてはドアガラス用ホルダの色を変える等の対策が考えられるが、供給部品管理が煩雑であるという問題は残っていた。
【０００５】
そこで、例えば特許文献１に開示されているように、一対の対向側部と底部とを有するドアガラス用ホルダにおいて、底部を平坦面で構成する一方、対向側部の端部には可撓部を設ける構成とすることが考えられる。このドアガラス用ホルダによれば、ドアガラスの下端を底部に置いた状態で、ドアガラスの車室外面ないし内面に可撓部が接触することになる。
【先行技術文献】
【特許文献】
【０００６】
【特許文献１】特許第５０７１０７５号公報
【発明の概要】
【発明が解決しようとする課題】
【０００７】
特許文献１のドアガラス用ホルダの場合、一対の対向側部の間隔を広めに設定しておけば、板厚の厚いドアガラスから薄いドアガラスまで１種類のドアガラス用ホルダで済むと考えられる。
【０００８】
しかしながら、特許文献１のドアガラス用ホルダの底部は平坦であることから、ドアガラスの下端を底部に置いた状態で、ドアガラスをドアガラス用ホルダに対して板厚方向について位置決めすることはできない。このとき、可撓部がドアガラスに接触しているが、この可撓部は対向側部の端部にのみ設けられているものであることからドアガラスを位置決めするほどの力を該ドアガラスに作用させることは困難である。特に、ドアガラスの板厚が薄ければ薄いほど可撓部による位置決めは期待できず、薄板ガラスの場合に顕著な問題となっていた。
【０００９】
つまり、特許文献１のドアガラス用ホルダはドアガラスの板厚が異なっていても取り付けることはできるが、様々な板厚のドアガラスをその板厚方向について位置決めすることは困難であった。
【００１０】
本発明は、かかる点に鑑みてなされたものであり、その目的とするところは、板厚が異なる複数種のドアガラスに取り付けできるドアガラス用ホルダとしながら、板厚によらずドアガラスをその板厚方向に容易に位置決めできるようにすることにある。
【課題を解決するための手段】
【００１１】
上記目的を達成するために、本発明では、ドアガラスを車室内外方向に挟持する外側板部及び内側板部を車室内外方向に撓み変形可能にするとともに、底部に設けた外側支持面及び内側支持面に、ドアガラスの下端の車室外側及び内側の角部を当接させて支持し、外側支持面及び内側支持面を、底部の車室内外方向中心に近づくほど下に位置するように形成した。
【００１２】
第１の発明は、自動車に昇降可能に設けられるドアガラスの下側に取り付けられ、該ドアガラスの下側を昇降機構に連結する自動車ドアガラス用ホルダにおいて、上記ドアガラスの下端に配置される底部と、上記底部から上方へ延び、上記ドアガラスの車室外側及び内側にそれぞれ配置されて車室内外方向に撓み変形するとともに、該ドアガラスを車室内外方向に挟持する外側板部及び内側板部とを備え、上記底部には、上記ドアガラスの下端における車室外側に形成された外側角部が当接して支持される外側支持面と、上記ドアガラスの下端における車室内側に形成された内側角部が当接して支持される内側支持面とが設けられ、上記外側支持面及び上記内側支持面は、上記底部の車室内外方向中心に近づくほど下に位置するように形成されていることを特徴とする。
【００１３】
この構成によれば、ドアガラスを車室内外方向に挟持する外側板部及び内側板部が車室内外方向に撓み変形するので、板厚が薄いドアガラスを挟持できるように外側板部及び内側板部の間隔を予め設定しておくことにより、板厚が厚いドアガラスの場合に外側板部及び内側板部が互いに離れる方向に変形してドアガラスの厚みが許容されて板厚が厚いドアガラスも挟持可能になる。
【００１４】
そして、ドアガラスの下端の外側角部及び内側角部がそれぞれ底部の外側支持面及び内側支持面に当接して支持される。このとき、外側支持面及び内側支持面は、底部の車室内外方向中心に近づくほど下に位置しているので、ドアガラスの下端は外側支持面及び内側支持面に沿って自然に下方へ変位しようする。これにより、ドアガラスがドアガラス用ホルダに対して該ドアガラスの板厚方向に位置決めされる。
【００１５】
第２の発明は、第１の発明において、上記底部における上記外側支持面と上記内側支持面との間の部分は、上記ドアガラスの下端から下方へ離れるように形成されていることを特徴とする。
【００１６】
この構成によれば、底部における外側支持面と内側支持面との間の部分がドアガラスの下端から下方へ離れているので、底部とドアガラスの下端との間に接着剤を充填可能な隙間が形成される。これにより、ドアガラス用ホルダのドアガラスに対する接着面積が広くなる。
【００１７】
第３の発明は、第１または２の発明において、上記外側板部の下側は、上記ドアガラスの車室外面から車室外側へ離れるように形成される一方、上記外側板部の上側は、上記ドアガラスの車室外面に当接するように形成されていることを特徴とする。
【００１８】
この構成によれば、外側板部の下側とドアガラスの車室外面との間に接着剤を充填可能な隙間が形成される。これにより、ドアガラス用ホルダのドアガラスに対する接着面積が広くなる。
【００１９】
第４の発明は、第１から３のいずれか１つの発明において、上記内側板部の下側は、上記ドアガラスの車室内面から車室内側へ離れるように形成される一方、上記内側板部の上側は、上記ドアガラスの車室外面に当接するように形成されていることを特徴とする。
【００２０】
この構成によれば、内側板部の下側とドアガラスの車室内面との間に接着剤を充填可能な隙間が形成される。これにより、ドアガラス用ホルダのドアガラスに対する接着面積が広くなる。
【００２１】
第５の発明は、第１から４のいずれか１つの発明において、上記外側板部及び上記内側板部の上側には、それぞれ、車室外側及び内側へ屈曲する外側屈曲部及び内側屈曲部が形成され、上記外側板部における上記外側屈曲部よりも上側は、上記ドアガラスの車室外面から離れるように形成され、上記内側板部における上記内側屈曲部よりも上側は、上記ドアガラスの車室内面から離れるように形成されていることを特徴とする。
【００２２】
この構成によれば、ドアガラスを外側板部及び内側板部の間に差し込む際、外側板部における外側屈曲部よりも上側の部分及び内側板部における内側屈曲部よりも上側の部分により、ドアガラスが外側板部と内側板部との間に導かれるようになる。
【００２３】
第６の発明は、第５の発明において、上記外側板部及び上記内側板部の間隔は、上記外側屈曲部及び上記内側屈曲部の形成部分が最も狭くなるように設定されていることを特徴とする。
【００２４】
この構成によれば、外側屈曲部及び上記内側屈曲部の形成部分でドアガラスが挟持される。外側屈曲部及び上記内側屈曲部の形成部分は、外側板部及び内側板部の上側であるため、ドアガラスの下端から上方に離れた部分が挟持されることになる。
【発明の効果】
【００２５】
第１の発明によれば、ドアガラスを車室内外方向に挟持する外側板部及び内側板部を車室内外方向に撓み変形可能にするとともに、底部に設けた外側支持面及び内側支持面に、ドアガラスの下端の車室外側及び内側の角部を当接させて支持し、外側支持面及び内側支持面を、底部の車室内外方向中心に近づくほど下に位置するように形成したので、板厚が異なる複数種のドアガラスに取り付けることができ、しかも、板厚によらずドアガラスをその板厚方向に容易に位置決めできる。
【００２６】
第２の発明によれば、底部における外側支持面と内側支持面との間の部分がドアガラスの下端から下方へ離れているので、底部とドアガラスの下端との間に接着剤を充填することができる。これにより、ドアガラス用ホルダをドアガラスに対して強固に取り付けることができる。
【００２７】
第３の発明によれば、外側板部の下側とドアガラスの車室外面との間に接着剤を充填することができるので、ドアガラス用ホルダをドアガラスに対して強固に取り付けることができる。
【００２８】
第４の発明によれば、内側板部の下側とドアガラスの車室内面との間に接着剤を充填することができるので、ドアガラス用ホルダをドアガラスに対して強固に取り付けることができる。
【００２９】
第５の発明によれば、外側板部における外側屈曲部よりも上側の部分及び内側板部における内側屈曲部よりも上側の部分により、ドアガラスを外側板部と内側板部との間に導くことができるので、組付作業性を良好にすることができる。
【００３０】
第６の発明によれば、外側板部及び内側板部の間隔を、外側屈曲部及び内側屈曲部の形成部分が最も狭くなるように設定したので、ドアガラスの下端から上方に離れた部分を挟持できる。これにより、自動車ドアガラス用ホルダをドアガラスに対して安定させることができる。
【図面の簡単な説明】
【００３１】
【図１】自動車ドアガラス用ホルダを車室外側から見た側面図である。
【図２】自動車ドアガラス用ホルダの背面図である。
【図３】自動車ドアガラス用ホルダの平面図である。
【図４】図１におけるIV−IV線断面図である。
【図５】自動車ドアガラス用ホルダが厚板ガラスに取り付けられた場合を示す図４相当図である。
【図６】自動車ドアガラス用ホルダが薄板ガラスに取り付けられた場合を示す図４相当図である。
【発明を実施するための形態】
【００３２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３３】
図１は、本発明の実施形態に係る自動車ドアガラス用ホルダ１を車室外側から見た側面図である。この自動車ドアガラス用ホルダ１は、自動車（図示せず）に昇降可能に設けられるドアガラス１００の下側に取り付けられ、該ドアガラス１００の下側を昇降機構２００（図４に一部を仮想線で示す）に連結するための部材である。この実施形態では、図示しないが自動車の側部に配設されるフロントドアやリヤドアが有するドアガラスに取り付けられるドアガラス用ホルダ１について説明するが、これに限らず、自動車に昇降可能に設けられる各種ドアガラスにドアガラス用ホルダ１を取り付けて使用することができる。尚、この実施形態の説明では、車両前側を単に「前」といい、車両後側を単に「後」というものとする。
【００３４】
昇降機構２００は、図示しないが自動車の側部に配設されるフロントドアやリヤドア、スライドドア等の内部に配設されており、従来から周知のものである。すなわち、昇降機構２００はウインドレギュレーターと呼ばれるものであり、ドアガラス１００が自動車ドアガラス用ホルダ１を介して連結されるキャリアプレート２０１と、キャリアプレート２０１を上下方向に案内する案内レール（図示せず）と、キャリアプレート２０１に連結されたワイヤ（図示せず）と、ワイヤを駆動するモーター（図示せず）とを備えている。そして、モーターがワイヤを駆動することにより、キャリアプレート２０１を上昇させたり、下降させることができるようになっており、これにより、ドアガラス１００が昇降する。
【００３５】
図４等に示すように、ドアガラス１００の下端には、車室外側に外側角部１０１が形成される一方、車室内側に内側角部１０２が形成されている。単一車種に設けられるドアガラス１００の種類としては、例えば、紫外線カットガラス、赤外線カットガラス、遮音ガラス、薄板ガラス等があり、これらガラスの板厚は異なっている。図５にはドアガラス１００が厚板ガラスである場合を示しており、また、図６にはドアガラス１００が薄板ガラスである場合を示している。さらに、図示しないが厚板ガラス及び薄板ガラスの中間の板厚を有するドアガラスもある。自動車ドアガラス用ホルダ１は、上記した様々な板厚のドアガラス１００に取り付けることができるように構成されている。
【００３６】
すなわち、図２や図４に示すように、自動車ドアガラス用ホルダ１は、底部１０と、外側板部２０及び内側板部３０と、締結板部４０とを備えている。底部１０、外側板部２０、内側板部３０及び締結板部４０は、例えば周知のエンジニアリングプラスチック等の樹脂材により一体成形されている。底部１０は、ドアガラス１００の下端に配置され、ドアガラス１００の下端に沿って前後方向に延びている。底部１０における車室内外方向中心から車室外側に離れた部分には、ドアガラス１００の外側角部１０１に当接して該外側角部１０１を下方から支持する外側支持面１０ａが形成されている。この外側支持面１０ａは、底部１０の車室内外方向中心に近づくほど下に位置するように形成されている。また、底部１０における車室内外方向中心から車室内側に離れた部分には、ドアガラス１００の内側角部１０２に当接して該内側角部１０２を下方から支持する内側支持面１０ｂが形成されている。この内側支持面１０ｂは、底部１０の車室内外方向中心に近づくほど下に位置するように形成されている。
【００３７】
この実施形態では、底部１０の外側支持面１０ａ及び内側支持面１０ｂが下側へ行くほど互いに接近するように傾斜した傾斜面で構成されている。外側支持面１０ａ及び内側支持面１０ｂの傾斜角度を急にする方が後述する位置決めの観点からは好ましく、例えば４５°以上にするのが好ましい。尚、外側支持面１０ａ及び内側支持面１０ｂは湾曲した面であってもよい。
【００３８】
外側支持面１０ａの上端と内側支持面１０ｂの上端とは略同じ高さに位置している。外側支持面１０ａの下端と内側支持面１０ｂの下端とも略同じ高さに位置している。図５に示す板厚が最も厚いドアガラス１００にドアガラス用ホルダ１を取り付けた状態で、ドアガラス１００の外側角部１０１が外側支持面１０ａの上下方向中間部に位置し、ドアガラス１００の内側角部１０２が内側支持面１０ｂの上下方向中間部に位置するようになっている。
【００３９】
外側支持面１０ａの下端と内側支持面１０ｂの下端とは、車室内外方向に互いに離れている。底部１０における外側支持面１０ａと内側支持面１０ｂとの間の部分には、ドアガラス１００の下端から下方へ離れるように、下方へ向けて湾曲する湾曲面１０ｃが形成されている。湾曲面１０ｃの車室外側の端部は、外側支持面１０ａの下端と連続している。また、湾曲面１０ｃの車室内側の端部は、内側支持面１０ｂの下端と連続している。湾曲面１０ｃは、その車室内外方向中心が最も下に位置し、中心から車室外側へいくほど、及び中心から車室内側へいくほど上に位置するように形状設定されている。尚、湾曲面１０ｃの代わりに平坦面を設けてもよい。
【００４０】
湾曲面１０ｃとドアガラス１００の下端との間には隙間が形成されるようになっており、この隙間は、接着剤が充填される下側接着剤充填空間Ａ１とされている。下側接着剤充填空間Ａ１は外側角部１０１と内側角部１０２との間に形成されることになる。接着剤は、ドアガラス１００とドアガラス用ホルダ１とを接着する従来から周知のものであるので詳細な説明は省略する。
【００４１】
外側板部２０及び内側板部３０は、底部１０から上方へ延び、ドアガラス１００の車室外側及び内側にそれぞれ配置されて車室内外方向に撓み変形するとともに、該ドアガラス１００を車室内外方向に挟持する部分である。外側板部２０及び内側板部３０の肉厚と前後方向の寸法は互いに略同じに設定されており、外側板部２０及び内側板部３０の剛性は略同程度となっている。
【００４２】
詳しくは、外側板部２０は、底部１０における車室内外方向中心から車室外側に離れた部分、即ち、外側支持面１０ａの上端から上方へ突出している。また、内側板部３０は、底部１０における車室内外方向中心から車室内側に離れた部分、即ち、内側支持面１０ｂの上端から上方へ突出している。外側板部２０及び内側板部３０の前後方向の寸法は、底部１０の前後方向の寸法と略一致している。
【００４３】
外側板部２０の下端は、図５に示す板厚が最も厚いドアガラス１００を挟持した状態でドアガラス１００の車室外面１００ａから外側へ離れている。また、外側板部２０の上側には、車室外側へ屈曲する外側屈曲部２１が形成されており、外側板部２０は、その下端から外側屈曲部２１に達するまでは上側へ行くほど車室内側に位置するように延び、外側屈曲部２１よりも上側の部分は、その上端に近づくほど車室外側に位置するように延びている。従って、外側板部２０における外側屈曲部２１が最も車室内側に位置することになり、この外側屈曲部２１がドアガラス１００の車室外面１００ａに当接する部分となる。
【００４４】
外側板部２０の車室内面における外側屈曲部２１よりも下側の面２０ｂは、ドアガラス１００の車室外面１００ａに対向するように配置される面であり、下側へ行くほど車室外側に位置するように延びている。外側板部２０の面２０ｂとドアガラス１００の車室外面１００ａとの間には隙間が形成されるようになっており、この隙間は、上記接着剤が充填される外側接着剤充填空間Ｂ１とされている。外側接着剤充填空間Ｂ１の車室内外方向の寸法は上端へ行くほど短くなっている。
【００４５】
外側板部２０の車室内面における外側屈曲部２１よりも上側の面２０ｃは、ドアガラス１００の車室外面１００ａに対向するように配置される面であり、上側へ行くほど車室外側に位置するように延びている。
【００４６】
また、図１に示すように、外側板部２０の車室外面２０ａには、上下方向に延びる複数のリブ２２が互いに前後方向に間隔をあけて設けられている。リブ２２の下端は底部１０に達している。リブ２２の上端は外側板部２０の上端に達している。
【００４７】
内側板部３０の下端は、図５に示す板厚が最も厚いドアガラス１００を挟持した状態でドアガラス１００の車室内面１００ｂから車室内側へ離れている。また、内側板部３０の上側には、車室内側へ屈曲する内側屈曲部３１が形成されており、内側板部３０は、その下端から内側屈曲部２１に達するまでは上側へ行くほど車室外側に位置するように延びている。従って、内側板部３０における内側屈曲部２１よりも下側の部分と、外側板部２０における外側屈曲部３１よりも下側の部分とは、上側へ行くほど互いに近づくようになる。
【００４８】
また、内側屈曲部３１よりも上側の部分は、その上端に近づくほど車室内側に位置するように延びている。従って、内側板部３０における内側屈曲部３１が最も車室外側に位置することになり、この内側屈曲部３１がドアガラス１００の車室内面１００ｂに当接する部分となる。図４に示すように、ドアガラス用ホルダ１の成形後の状態では、外側屈曲部２１と内側屈曲部３１とが車室内外方向に離れており、外側屈曲部２１及び内側屈曲部３１の車室内外方向の離間寸法は、図６に示す板厚が最も薄いドアガラス１００の厚み寸法よりも短くなるように設定されている。
【００４９】
内側板部３０の車室外面における内側屈曲部３１よりも下側の面３０ｂは、ドアガラス１００の車室内面１００ｂに対向するように配置される面であり、下側へ行くほど車室内側に位置するように延びている。内側板部３０の面３０ｂとドアガラス１００の車室内面１００ｂとの間には隙間が形成されるようになっており、この隙間は、上記接着剤が充填される内側接着剤充填空間Ｃ１とされている。内側接着剤充填空間Ｃ１の車室内外方向の寸法は上端へ行くほど短くなっている。
【００５０】
内側板部３０の車室外面における内側屈曲部３１よりも上側の面３０ｃは、ドアガラス１００の車室内面１００ｂに対向するように配置される面であり、上側へ行くほど車室内側に位置するように延びている。これにより、内側板部３０の面３０ｃと、外側板部２０の面２０ｃとの車室内外方向の離間寸法が上側へ行くほど広くなり、内側板部３０の面３０ｃ及び外側板部２０の面２０ｃによってドアガラス１００の下端を外側屈曲部２１及び内側屈曲部３１の間に導くことができるようになっている。尚、内側板部３０の面３０ｃの上端と、外側板部２０の面２０ｃの上端との車室内外方向の離間寸法は、図５に示す板厚が最も厚いドアガラス１００の厚み寸法よりも長くなるように設定されている。
【００５１】
また、図示しないが、内側板部３０の車室内面３０ａには、上下方向に延びる複数のリブが互いに前後方向に間隔をあけて設けられている。リブの下端は底部１０に達している。リブの上端は内側板部３０の上端に達している。
【００５２】
図２に示すように、締結板部４０は、底部１０から下方へ突出しており、該底部１０と一体化されている。締結板部４０は、図１に示すように下側へ行くほど前後方向の寸法が短くなるように形成されている。締結板部４０の前後方向中央部には、略円筒状の金属製部材４１が配設されている。金属製部材４１には、図示しない締結部材が挿通する挿通孔４１ａが車室内外方向に貫通するように形成されている。締結部材は、締結板部４０をキャリアプレート２０１に締結するための部材であり、例えばネジやボルト等である。
【００５３】
締結板部４０の車室外面４０ａには、金属製部材４１を囲む部分から車室外側へ突出する筒状壁部４２が形成されている。この筒状壁部４２の内方にネジやボルトの頭部が収容されるようになっている。また、締結板部４０の車室外面４０ａには、上下方向に延びる複数のリブ４３が互いに前後方向に間隔をあけて形成されている。リブ４３の上端は、外側板部２０のリブ２２の下端と連続している。リブ４３の下端は筒状壁部４２の外面と連続している。また、締結板部４０の車室内面４０ｂはキャリアプレート２０１の側面に当接するようになっている。
【００５４】
ドアガラス用ホルダ１には位置決め部５０が設けられている。図３にも示すように、位置決め部５０は、底部１０の近傍から車室内側へ突出して前後方向に延びる突出板５１と、突出板５１の上面に設けられた複数のリブ５２とを備えている。突出板５１の前後方向の寸法は、底部１０の前後方向の寸法よりも短く設定されており、突出板５１は底部１０の前後中央部に位置付けられている。リブ５２は、底部１０の車室内面に連続している。突出板５１の下面５１ａにキャリアプレート２０１の上面が当接して位置決めされるようになっている。
【００５５】
（ドアガラス用ホルダの取り付け要領）
次に、上記のように構成されたドアガラス用ホルダ１をドアガラス１００の下側に取り付ける要領について説明する。まず、図４に示すように、ドアガラス１００の下端をドアガラス用ホルダ１の外側板部２０と内側板部３０との間の上方に配置してから、外側板部２０と内側板部３０との間に差し込む。底部１０には上記接着剤を予め塗布しておくのが好ましい。
【００５６】
ドアガラス１００を外側板部２０と内側板部３０との間に差し込む際、内側板部３０の面３０ｃの上端と外側板部２０の面２０ｃの上端との離間寸法が、図５に示す板厚の最も厚いドアガラス１００の厚み寸法よりも長くなっているので、ドアガラス１００の下端を、内側板部３０の面３０ｃと外側板部２０の面２０ｃとによって外側屈曲部２１及び内側屈曲部３１の間に導くことができ、作業が容易に行える。
【００５７】
ドアガラス１００の下端を外側板部２０と内側板部３０との間に差し込んでいくと、外側板部２０の外側屈曲部２１と、内側板部３０の内側屈曲部３１との離間寸法がドアガラス１００の厚み寸法よりも短く設定されているので、ドアガラス１００の下端に外側屈曲部２１が当接して外側板部２０が車室外側へ押されて撓み変形し、また、ドアガラス１００の下端に内側屈曲部３１が当接して内側板部３０が車室内側へ押されて撓み変形する。外側板部２０は外側屈曲部２１よりも下側の部分が主に撓み変形し、内側板部３０も内側屈曲部３１よりも下側の部分が主に撓み変形する。
【００５８】
そして、ドアガラス１００が外側屈曲部２１と内側屈曲部３１との間に完全に差し込まれる過程において、ドアガラス１００の車室外面１００ａに外側屈曲部２１が摺接し、ドアガラス１００の車室内面１００ｂに内側屈曲部３１が摺接する。このとき、ドアガラス１００に対する外側屈曲部２１の接触面積及び内側板部３０の接触面積は狭くなるので、ドアガラス１００を容易に差し込むことができる。
【００５９】
ドアガラス１００が外側板部２０と内側板部３０との間に完全に差し込まれると、底部１０の外側支持面１０ａにドアガラス１００の外側角部１０１が当接して支持され、また、底部１０の内側支持面１０ｂにドアガラス１００の内側角部１０２が当接して支持される。このとき、外側支持面１０ａは底部１０の車室内外方向中心に近づくほど下に位置するように形成され、内側支持面１０ｂは底部１０の車室内外方向中心に近づくほど下に位置するように形成されているので、ドアガラス１００の下端は外側支持面１０ａ及び内側支持面１０ｂに沿って自然に下方へ変位しようする。これにより、ドアガラス１００の板厚方向中心がドアガラス用ホルダ１の底部１０の車室内外方向中心と一致し、ドアガラス１００がドアガラス用ホルダ１に対して該ドアガラス１００の板厚方向に位置決めされる。
【００６０】
また、ドアガラス１００が外側板部２０と内側板部３０との間に完全に差し込まれた状態では、ドアガラス１００が底部１０で支持されるとともに、外側板部２０と内側板部３０とによってドアガラス１００の下端から上側に離れた部分が板厚方向に挟持される。これにより、自動車ドアガラス用ホルダ１をドアガラス１００に対して安定させることができる。
【００６１】
接着剤は、ドアガラス１００を差し込むことによって流動して底部１０の湾曲面１０ｃとドアガラス１００の下端との間の下側接着剤充填空間Ａ１に充填され、また、外側板部２０の面２０ｂとドアガラス１００の車室外面１００ａとの間の外側接着剤充填空間Ｂ１にも充填され、さらに、内側板部３０の面３０ｂとドアガラス１００の車室内面１００ｂとの間の内側接着剤充填空間Ｃ１にも充填される。これにより、ドアガラス用ホルダ１はドアガラス１００に対して少なくとも３箇所が接着されることになるので、接着面積を十分に広く確保することができ、ドアガラス用ホルダ１をドアガラス１００に対して強固に取り付けることができる。
【００６２】
また、図６に示すように、ドアガラス用ホルダ１を薄板のドアガラス１００に取り付けることもできる。この場合、外側屈曲部２１及び内側屈曲部３１の車室内外方向の離間寸法は、板厚が最も薄いドアガラス１００の厚み寸法よりも短くなるように設定されているので、薄板のドアガラス１００を外側板部２０と内側板部３０とによって挟持できる。
【００６３】
薄板のドアガラス１００の場合も、ドアガラス１００の下端は外側支持面１０ａ及び内側支持面１０ｂに沿って自然に下方へ変位しようするので、ドアガラス１００がドアガラス用ホルダ１に対して該ドアガラス１００の板厚方向に位置決めされる。また、この場合、下側接着剤充填空間Ａ２は図５に示す厚板ガラスの場合の下側接着剤充填空間Ａ１に比べて狭くなるが、外側接着剤充填空間Ｂ２及び内側接着剤充填空間Ｃ２は厚板ガラスの場合の外側接着剤充填空間Ｂ１及び内側接着剤充填空間Ｃ１に比べて広くなるので、図６に示す場合も接着面積を十分に広く確保することができる。
【００６４】
尚、図５に示す板厚が最も厚いドアガラス１００の場合と、図６に示す板厚が最も薄いドアガラス１００の場合とでは、ドアガラス用ホルダ１に対するドアガラス１００の位置が上下方向について見ると若干異なり、図５に示す場合の方が図６に示す場合よりも上に位置することになるが、この差は僅かなものであることから実際の組付現場で許容できる程度であり、問題とはならない。
【００６５】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６６】
以上説明したように、本発明に係る自動車ドアガラス用ホルダは、例えば昇降可能なドアガラスに取り付けて使用することができる。
【符号の説明】
【００６７】
１              自動車ドアガラス用ホルダ
１０            底部
１０ａ          外側支持面
１０ｂ          内側支持面
２０            外側板部
２１            外側屈曲部
３０            内側板部
３１            内側屈曲部
１００          ドアガラス
１０１          外側角部
１０２          内側角部
２００          昇降機構
【図１】
2018021369.tif 000003
【図２】
2018021369.tif 000004
【図３】
2018021369.tif 000005
【図４】
2018021369.tif 000006
【図５】
2018021369.tif 000007
【図６】
2018021369.tif 000008